(57)【要約】  底面および底面の少なくとも一部に接触するダンパを有して反発を向上させたメッシュ膜を備えるドラムヘッド。また、アコースティック膜に実質的に固定された関係に保持されたメッシュ膜を含む練習用ドラムヘッドアセンブリ。アセンブリは、メッシュ膜に張力をかけるための環状テンションリング、およびメッシュ膜をアコースティック膜に実質的に固定するための係合部材を含むことが好ましい。さらに、回転してテンションリングの径を大きくするターンバックルを有する円筒形ロッドを備えるドラムヘッド用のテンションリング。
2009524115.tif 000002
【特許請求の範囲】
【請求項１】
ａ．上面および底面を有するメッシュ膜と、
ｂ．前記メッシュ膜に張力をかけるためのテンションリングと、
ｃ．前記メッシュ膜の前記底面の少なくとも一部に接触するダンパと、
ｄ．前記メッシュ膜を保持するための保持部材および前記メッシュ膜をアコースティック膜に実質的に固定した関係に保持するための連結部材を備える係合部材とを含む、練習用ドラムヘッドアセンブリ。
【請求項２】
前記連結部材が、アコースティックドラムヘッドの環状フレーム、ドラムシェル上のアコースティックドラムヘッドの前記環状フレーム上に配置されるカウンタフープ、ドラムシェル上の１つまたは複数のテンションラグ、およびドラムシェル上の１つまたは複数のテンションロッドからなるグループの１つに連結されるように形成される、請求項１に記載の練習用ドラムヘッドアセンブリ。
【請求項３】
前記連結部材が、前記練習用ドラムヘッドアセンブリをアコースティック膜に実質的に固定した関係に取り外し可能に固定するための感圧性粘着剤をさらに備える、請求項１に記載の練習用ドラムヘッドアセンブリ。
【請求項４】
前記係合部材の少なくとも一部がエラストマー材料で形成される、請求項１に記載の練習用ドラムヘッドアセンブリ。
【請求項５】
前記係合部材が前記係合部材の上端に停止部材をさらに備える、請求項１に記載の練習用ドラムヘッドアセンブリ。
【請求項６】
前記メッシュ膜が前記メッシュ膜を固定するための環状フレームを有する練習用ドラムヘッド内に形成され、前記保持部材が前記係合部材の内側壁から内側に延びて前記練習用ドラムヘッドの環状フレームの底部を支持するフロアを備える、請求項１に記載の練習用ドラムヘッドアセンブリ。
【請求項７】
前記テンションリングが円筒形ロッドおよび拡張部材を備える、請求項１に記載の練習用ドラムヘッドアセンブリ。
【請求項８】
前記拡張部材が前記円筒形ロッドと協働するねじ付きターンバックルを備える、請求項７に記載の練習用ドラムヘッドアセンブリ。
【請求項９】
前記メッシュ膜が約５〜７０％の開口面積を有する、請求項１に記載の練習用ドラムヘッドアセンブリ。
【請求項１０】
前記メッシュ膜が約３０％の開口面積を有する、請求項９に記載の練習用ドラムヘッドアセンブリ。
【請求項１１】
前記メッシュ膜がポリエステル材料で形成される、請求項１に記載の練習用ドラムヘッドアセンブリ。
【請求項１２】
前記メッシュ膜が前記アコースティック膜に距離を約０．５〜４インチおいて実質的に固定された関係に保持される、請求項１に記載の練習用ドラムヘッドアセンブリ。
【請求項１３】
前記ダンパが前記メッシュ膜の前記底面に接着剤で付着される、請求項１に記載の練習用ドラムヘッド。
【請求項１４】
前記ダンパが前記メッシュ膜の前記底面の約４０〜１００パーセントに接触する、請求項１に記載の練習用ドラムヘッド。
【請求項１５】
前記ダンパが前記メッシュ膜の前記底面の約６０パーセントに接触する、請求項１４に記載の練習用ドラムヘッド。
【請求項１６】
前記ダンパが円形であり、前記メッシュ膜の前記底面と心合わせされる、請求項１に記載の練習用ドラムヘッド。
【請求項１７】
前記ダンパが、不織ポリ（ｎｏｎ−ｗｏｖｅｎ  ｐｏｌｙ）、ポリフィル（ｐｏｌｙ  ｆｉｌｌ）、ポリバッティング（ｐｏｌｙ  ｂａｔｔｉｎｇ）、ポリフラッフ（ｐｏｌｙ  ｆｌｕｆｆ）、またはポリエステル繊維材料からなるグループから選択される材料で作成される、請求項１に記載の練習用ドラムヘッド。
【請求項１８】
前記ダンパの密度が約０．５〜１６オンス／平方フィートである、請求項１に記載の練習用ドラムヘッド。
【請求項１９】
前記ダンパの密度が約１．０〜１．５オンス／平方フィートである、請求項１８に記載の練習用ドラムヘッド。
【請求項２０】
前記ダンパの通気度が約２０〜１５００ＣＦＭである、請求項１に記載の練習用ドラムヘッド。
【請求項２１】
前記ダンパの通気度が約２５０〜１０００ＣＦＭである、請求項２０に記載の練習用ドラムヘッド。
【請求項２２】
底面および前記底面の少なくとも一部に接触するダンパを有するメッシュ膜を備えるドラムヘッド。
【請求項２３】
前記メッシュ膜が約５〜７０％の開口面積を有するポリエステル材料で形成される、請求項２２に記載のドラムヘッド。
【請求項２４】
前記メッシュ膜がアコースティック膜に距離を約０．５〜４インチおいて実質的に固定された関係に保持される、請求項２２に記載のドラムヘッド。
【請求項２５】
前記ダンパが前記メッシュ膜の前記底面の約４０〜１００％に接触する、請求項２２に記載のドラムヘッド。
【請求項２６】
前記ダンパが、不織ポリ、ポリフィル、ポリバッティング、ポリフラッフ、またはポリエステル繊維材料からなるグループから選択される材料で作成される、請求項２２に記載のドラムヘッド。
【請求項２７】
前記ダンパが円形であり、前記メッシュ膜の前記底面と心合わせされる、請求項２２に記載のドラムヘッド。
【請求項２８】
前記ダンパが前記メッシュ膜の前記底面の少なくとも一部に接着剤で接触状態に保持される、請求項２２に記載のドラムヘッド。
【請求項２９】
前記ダンパの密度が約０．５〜１６オンス／平方フィートである、請求項２２に記載のドラムヘッド。
【請求項３０】
前記ダンパの密度が約１．０〜１．５オンス／平方フィートである、請求項２９に記載のドラムヘッド。
【請求項３１】
前記ダンパの通気度が約２０〜１５００ＣＦＭである、請求項２２に記載のドラムヘッド。
【請求項３２】
前記ダンパの通気度が約２５０〜１０００ＣＦＭである、請求項３１に記載のドラムヘッド。
【請求項３３】
アコースティック膜に実質的に固定された関係に維持されたメッシュ膜を備える練習用ドラムヘッドアセンブリ。
【請求項３４】
前記メッシュ膜に張力をかけるためのテンションリングおよび係合部材をさらに備え、前記係合部材が前記メッシュ膜を保持するための保持部材および前記メッシュ膜を前記アコースティック膜に実質的に固定した関係に保持するための連結部材を備える、請求項３３に記載の練習用ドラムヘッドアセンブリ。
【請求項３５】
前記連結部材が、アコースティックドラムヘッドの環状フレーム、ドラムシェル上のアコースティックドラムヘッドの前記環状フレーム上に配置されるカウンタフープ、ドラムシェル上の１つまたは複数のテンションラグ、およびドラムシェル上の１つまたは複数のテンションロッドを含むグループの１つと連結されるように形成される、請求項３４に記載の練習用ドラムヘッドアセンブリ。
【請求項３６】
円筒形ロッドおよび拡張部材を備えるテンションリングをさらに含む、請求項３３に記載の練習用ドラムヘッドアセンブリ。
【請求項３７】
前記テンションリングが円筒形ロッドおよび拡張部材を備える、請求項３４に記載の練習用ドラムヘッドアセンブリ。
【請求項３８】
前記メッシュ膜が約５〜７０％の開口面積を有する、請求項３３に記載の練習用ドラムヘッドアセンブリ。
【請求項３９】
前記メッシュ膜が前記アコースティック膜に距離を約０．５〜４インチおいて実質的に固定された関係に保持される、請求項３３に記載の練習用ドラムヘッドアセンブリ。
【請求項４０】
環状構成に形成された円筒形ロッドおよび前記環状構成の径を拡張するための拡張部材を備えるドラムヘッド用テンションリング。
【請求項４１】
前記円筒形ロッドが平滑な端部およびねじ付き端部を備える、請求項４０に記載のテンションリング。
【請求項４２】
前記拡張部材が前記ロッドの前記ねじ付き端部を受けるためのねじ付きレセプタクルおよび前記ロッドの前記平滑な端部を受けるための平滑なレセプタクルを有する、請求項４０に記載のテンションリング。
【発明の詳細な説明】
【技術分野】
【０００１】
本発明は音楽用ドラムの分野に関し、より詳細にはメッシュ膜を使用する音楽用ドラムの分野に関する。
【背景技術】
【０００２】
音楽用ドラムは、一般的には、シェル、および環状フレームに係止された１つまたは２つの調律可能な膜からなり、この膜は一般にドラムヘッドと呼ばれ、シェル上で張力をかけられる。
【０００３】
ドラムヘッドに適切な張力をかけるため、シェルは、シェルにテンションラグが取り付けられ、テンションラグからねじ付きテンションロッドが延びる構成を有する。設置中に、ドラムヘッドがシェル上に配置され、カウンタフープがドラムヘッドの環状フレーム上に配置される。テンションロッドはカウンタフープと係合し、締め付けられて、ドラムヘッド膜が引き伸ばされる。テンションラグ内のテンションロッドのトルクの調整によって、引き伸ばされたドラムヘッド膜のピッチが変わる。
【０００４】
より具体的には、テンションラグ、テンションロッド、およびカウンタフープ構成は、通常、ドラムヘッドに均一に力を加えてドラムヘッド膜をシェル上で引き伸ばすように設計されたシステムである。テンションラグを締め付けることによって、テンションロッドがカウンタフープを引っ張り、ドラムヘッド膜に張力がかけられ、それによって打撃の際のピッチが上がる。逆に、テンションラグをゆるめることによって、テンションロッドによりカウンタフープにかかる張力を緩和することができ、打撃の際のドラムヘッド膜のピッチが下がる。
【０００５】
ドラムヘッド膜を所望の張力になるように引き伸ばすことによって、ピッチ、スティックの反発などを含む音楽性および演奏特性がドラムに与えられる。ドラムの音質およびスティックの反発は、通常、ドラムの「感触」と呼ばれ、ドラムヘッドの径、張力、およびドラムヘッド膜の厚さによって決定される。
【０００６】
今まで、ドラムの演奏に付きものの大きい音を出さずにアコースティックドラムの演奏練習をするには、数少ない装置しか使用されなかった。こうした一装置は、ドラムヘッド膜の頂面上に配置されるフォームまたはゴムの円板である。フォームまたはゴムの円板は、円板を打撃するドラムスティックの力を吸収し、その音を小さくする。しかし、フォームまたはゴムの円板はドラムヘッド膜を打撃するドラムスティックの自然の反発もなくし、実質的にドラムが防音される。フォームまたはゴムのデバイスの使用は、むしろ板紙箱上での練習に近い。
【０００７】
アコースティック音楽用ドラムの演奏練習の際のドラムヘッドの張力をシミュレートするように設計された他のドラム練習用デバイスが、Ｒｏｇｅｒｓの米国特許第６，０６９，３０７号に記載されている。しかしこのデバイスは、張力をかけた練習用ドラムを作成するための特注のドラムヘッドおよび膨張可能なブラダーを使用しなければならない。したがって、米国特許第６，０６９，３０７号の張力をかけたデバイスは複雑であり、製作コストが高い。
【特許文献１】米国特許第６，０６９，３０７号
【発明の開示】
【発明が解決しようとする課題】
【０００８】
したがって、本発明の目的は、非常に静かであるが、ドラムヘッドの感触を維持し、使用されるドラムの音の特性の多くを保存するドラム練習用デバイスを提供することである。
【０００９】
本発明の他の目的は、ドラムに損傷を与えずに、アコースティックドラムに簡単に取り外し可能に取り付けることができ、または独自のドラムヘッドおよび練習用ドラムヘッドを有する内蔵型ドラム練習用デバイスとして作成することができるドラム練習用デバイスを提供することである。
【００１０】
本発明の他の目的は、反発力を向上したメッシュ膜を備えるドラムヘッドを提供することである。
【課題を解決するための手段】
【００１１】
上記その他の目的は、底面および底面に接触するダンパを有するメッシュ膜を備えるドラムヘッドを対象とする本発明によって達成される。本発明はさらに、メッシュ膜または目の粗い織布、および環状フレームを有する練習用ドラムヘッド、メッシュ膜に張力をかけるための環状テンションリング、メッシュ膜の底面の少なくとも一部に接触するダンパ、および練習用ドラムヘッドをアコースティックドラムヘッドのアコースティックの固体または共振ドラム膜に実質的に固定するための係合部材を備える練習用ドラムヘッドアセンブリを対象とする。
【００１２】
一実施形態では、係合部材は練習用ドラムヘッドを標準のドラムシェル上のアコースティックドラムヘッドに実質的に固定した関係に取り付ける。ドラムシェルは、アコースティックドラムヘッドの環状リング上に配置されたカウンタフープ、およびカウンタフープと係合してシェル上でアコースティックドラムヘッドに張力をかけるシェル上のテンションロッドを備える一連のテンションラグを有する。この実施形態では、係合部材は、練習用ドラムヘッドの環状フレームを保持するための保持部材、および練習用ドラムヘッドアセンブリをアコースティックドラムに連結するための連結部材を含む。
【００１３】
この実施形態の連結部材は、メッシュ膜の練習用ドラムヘッドがアコースティックドラムヘッドに実質的に固定された関係に維持される限り、アコースティックドラムの任意の部分に連結することができる。たとえば連結部材を、標準のアコースティックドラムのアコースティックドラムヘッドの環状リング、カウンタフープ、テンションラグ、テンションロッド、シェルなどに取り付けることができる。
【００１４】
別法として、アコースティックドラムヘッドに標準のアコースティックドラムが存在しなくてもよい。この実施形態では、係合部材の連結部材は、好ましくはアコースティックドラムヘッドの環状リングに連結されることによって、アコースティックドラムヘッドに直接連結される。
【００１５】
好ましくは、練習用ドラムヘッドアセンブリをアコースティックドラムおよび／またはドラムヘッドに連結するための連結部材の少なくとも一部が、エラストマー材料で形成され、最も好ましくはゴムで形成される。少なくとも一部がエラストマー材料で形成された連結部材を使用すると、ドラムを妨げず、またはドラムに損傷を与えずに、練習用ドラムヘッドアセンブリをアコースティックドラムに連結する簡単な取り外し可能な手段が提供されるために好ましい。最も好ましくは、連結部材を含む係合部材全体がエラストマー材料で形成される。
【００１６】
環状テンションリングは、練習用ドラムヘッドのメッシュ膜にわたる張力をかける助けをする任意のデバイスでもよい。しかし、練習用ドラムヘッドのメッシュ膜の内部に配置されて内部から外側に向けてメッシュ膜に張力をかけることができる環状リングが好ましい。好ましいテンションリングは、テンションリングの径を拡張して練習用ドラムヘッドのメッシュ膜を調律するように動作することができるターンバックルなど拡張機構を備える。
【００１７】
本明細書で使用されるように、「メッシュ」膜は、空気が通過することができる開口を有する目の粗い通気性膜を指す。これは、アコースティックドラムヘッドで使用される固体のアコースティックまたは共振膜と対照をなすものである。メッシュ膜からの音エネルギまたは出力量は、アコースティック膜によって生成される音エネルギよりもはるかに小さい。このメッシュ膜からの出力の減少により、演奏者は、アコースティック固体膜のドラムヘッドと同様の張力がかけられた表面上で、音エネルギの出力を大幅に減少して、練習を行なうことができるようになる。
【００１８】
しかし、メッシュ膜がドラムのアコースティック膜に近接して保持されると、メッシュ膜の振動によってアコースティック膜から共振反応が起こる。練習用膜とドラム膜に同様に張力がかけられると、メッシュ膜からアコースティック膜が共振し、それによってアコースティック膜と実質的に同じピッチおよび音質の低音量反応が起こる。
【００１９】
類似のことが、同じ所定のピッチの無振動音叉に近い振動音叉に起こる。振動音叉Ａが無振動音叉Ｂに近づけられると、振動音叉Ａが無振動音叉に共振を開始させる。音叉Ａが音叉Ｂに近づくに従って、音叉Ｂからの出力が増加する。換言すれば、音叉Ａと音叉Ｂの間の開放空気は乏しい媒体であるが、音叉が互いに近づくに従って、音叉Ａのエネルギレベルによって間隙が克服される。
【００２０】
メッシュ膜の開口の割合は、練習用ドラムヘッドの特性に影響を与える一変数である。開口面積が増加するに従って、メッシュ膜が打撃されたときに動く空気が減少し、メッシュ膜よって生成される音エネルギ量、並びにアコースティック膜との「カップリング」が影響を受ける。
【００２１】
「カップリング」は、メッシュ膜が打撃されたときのメッシュ膜に対するアコースティック膜の反応の程度である。カップリングに影響を与える要因には、メッシュ膜の開口面積、メッシュ膜の調律、振動の周波数、およびメッシュ膜とアコースティック膜の間の距離が含まれる。開口面積の大きいメッシュ膜でカップリングを最大にするには、２つの膜の共振が同じでなければならない。
【００２２】
メッシュ膜が比較的大きい開口面積を有する、すなわち閉鎖面積に対する開口面積の比率が高く、アコースティック膜と大幅にピッチがずれるように調律された場合は、カップリングが乏しく、アコースティック膜から実際に出力しないであろう。類似の音叉に戻ると、振動音叉Ａと音叉Ｂのピッチがかなり異なる場合、振動音叉Ａを無振動音叉Ｂにどれだけ近づけて配置しても、共振はほとんどないであろう。したがって、アコースティック膜からの音の低音量の再現を適切に行なうには、練習用ドラムヘッドを、アコースティックドラムヘッド膜に十分近づける他に、アコースティックドラムヘッド膜に適切に同調させなければならない。
【００２３】
また判明しているように、メッシュ膜の底部領域の少なくとも一部にダンパを使用すると、ドラムヘッドの音質特性に悪影響を与えることなく、メッシュ膜を打撃するドラムスティックの反発特性が向上される。これは、上記の練習用ドラムヘッドを含む任意のメッシュドラムヘッドに使用することができ、または電子ドラムで使用されるようにメッシュドラムヘッドの演奏に使用することができる。
【００２４】
ダンパを、ばね質量システムのメッシュ膜の下側に取り付けることが好ましい。比較的大きい径のドラムヘッドは比較的大きい径のばねを生成するため、集中質量はドラムヘッドのダンパが取り付けられていない場所の慣性の制御にあまり効果がない。したがって、メッシュ膜のかなりの領域下のダンパは、固体アコースティック膜にわたる反発を再現する十分な表面領域を提供することができる。
【００２５】
添付の図面を考慮すれば、本発明がよりよく理解されるであろう。図面では、同様の参照番号は同様の部分を指す。しかし図面は、いかなる方法にも限定されることなく本発明の好ましい実施形態を単に示すものである。
【発明を実施するための最良の形態】
【００２６】
図面の特に図１で示されているように、本発明は、練習用ドラムヘッド４、練習用ドラムヘッド４をアコースティック膜に実質的に固定した関係で維持するための係合部材６、および練習用ドラムヘッド４のメッシュ膜１０全体に張力をかける環状テンションリング８を備える練習用ドラムヘッドアセンブリ２を対象とする。練習用ドラムヘッドアセンブリ２は、音量を大幅に低減し、アコースティックドラムヘッド膜の感触を再現するものである。
【００２７】
練習用ドラムヘッド４のメッシュ膜１０は、膜１０の縁部の環状フレーム１２への樹脂などによる付着、膜１０の縁部の環状フレーム１２へのクランプなどの手段を含む、ドラムヘッド製造の技術分野で周知の手段で環状フレーム１２に係止されることが好ましい。メッシュ膜１０は、ＭＹＬＡＲ（登録商標）でＤｕｐｏｎｔによって販売されているものなど、目の粗い、厚さ約５〜２０ｍｉｌのポリエステル材料など、ドラムヘッド作成で周知の任意の適した材料で作成することができる。
【００２８】
練習用ドラムヘッドアセンブリ２のメッシュ膜１０は空気に透過性であり、膜１０の好ましくは約５〜７０％、最も好ましくは約３０％の開口面積を有する。上記のように、当業者には理解されるように、メッシュ膜１０の形成に使用されるメッシュ材料の開口面積は、練習用アセンブリ２の特性に影響を与えるものである。メッシュ膜１０の開口面積が小さくなるに従って、メッシュ膜１０が打撃されたときに生じる空気の動きが大きくなる。他が全て同じであれば、生じる空気の動きが大きくなるに従って、より大きい音エネルギが生成され、練習中の音量が大きくなる。
【００２９】
比較的小さい開口面積を有するメッシュ膜１０から比較的大きい空気の動きが生じても、メッシュ膜１０が打撃されたときのアコースティック膜２０への影響は、メッシュ膜１０とアコースティック膜２０の間の距離にも依存する。メッシュ膜１０がアコースティック膜２０に比較的近い場合は、メッシュ膜１０の開口面積に関係なくカップリングが向上する。したがって、比較的大きい開口面積を有するメッシュ膜１０が打撃されたときに比較的小さい音エネルギが生成されても、メッシュ膜１０とアコースティック膜２０の間の距離が短くなるに従ってより大きい音エネルギが生成される。
【００３０】
図２は、好ましい練習用ドラムヘッドアセンブリ２の構成、および練習用ドラムヘッドアセンブリ２とアコースティックドラム２２の関係をより明確に示す図である。
【００３１】
図２で示されているように、典型的なアコースティック音楽用ドラム２２は、シェル２４、アコースティック膜２０およびアコースティックドラムヘッド２６をシェル上に取り付けるための環状リング２８を含むアコースティックドラムヘッド２６、アコースティックドラムヘッド２６の環状リング２８上に配置されるカウンタフープ３０、並びにカウンタフープ３０と係合してシェル２４上でアコースティックドラムヘッド２６に張力をかけるシェル２４上のテンションロッド３４を有する一連のテンションラグ３２を備える。
【００３２】
練習用ドラムアセンブリ２では、練習用ドラムヘッド４が係合部材６を使用してドラム２２のアコースティック膜２０に関して実質的に固定される。係合部材６は、練習用ドラムヘッド４を係合部材６上で保持するための保持部材１４、練習用ドラムヘッドアセンブリ２をアコースティックドラム２２に連結するための連結部材１６、好ましくは上部停止部１８を備える。
【００３３】
理解されるように、練習用ドラムヘッド４を係合部材６上で保持するのに適した任意の構造を保持部材１４として使用することができる。図２で示した好ましい実施形態では、保持部材１４は、係合部材６の内側壁から係合部材６の中心に向かって内側に延びるフロア１４ａ、およびフロア１４ａから上方に延びる面１４ｂを含む。この実施形態では、練習用ドラムヘッド４の環状フレーム１２は、フロア１４ａ上に、かつ係合部材６の内側壁と面１４ｂの間にしっかり嵌る。
【００３４】
好ましくは保持部材１４が係合部材６の内側壁全体の周囲に存在するが、図で示した好ましい保持部材１４は内側壁の不連続な部分に沿って形成されてもよい。
【００３５】
係合部材６の好ましい上部停止部１８は、練習用ドラムヘッド４の縁部を超えて内側に延びて、練習用ドラムヘッド４を係合部材６内でしっかり保持する助けをする。上部停止部１８の好ましい実施形態では、上部停止部１８は係合部材６の周囲に存在し、エラストマー材料で作成され、好ましくは係合部材６の他の部分と一体型に形成される。
【００３６】
係合部材６の連結部材１６は、練習用ドラムヘッドアセンブリ２をアコースティックドラム２２に連結する働きをする。練習用ドラムヘッド４をアコースティック膜２０に実質的に固定した関係に連結することができる任意の構造を使用することができる。しかし、図で示した好ましい連結部材１６は、カウンタフープ３０の上部の外側に延びる周囲３０ａの少なくとも一部の周りに嵌る壁部分１６ａ、およびカウンタフープ３０の外側に延びる周囲３０ａの内側に下側に延びるキャッチ１６ｂを備える。
【００３７】
この好ましい実施形態では、連結部材１６の少なくとも一部はエラストマー材料で形成される。それによって、連結部材１６の少なくとも一部をカウンタフープ３０の外側に延びる周囲３０ａ上で引き伸ばして、適切に連結された場合にキャッチ１６ｂが周囲３０ａの下に着座するようにすることができる。
【００３８】
しかし最も好ましくは、係合部材６全体がエラストマー材料で、最も好ましくはゴムで形成され、それによって、アコースティックドラム２２のカウンタフープ３０の周囲にしっかり嵌り、練習用ドラムヘッド４をその中に保持する。エラストマー係合部材６は、練習用ドラムヘッド４の保持とアコースティックドラム２２への連結の両方に関して幾つかの利益をもたらす。
【００３９】
より具体的には、エラストマー係合部材６により、環状フレーム１２を保持部材１４内に下方に移動させる間、上部停止部１８に隣接する領域を外側に向けて変形させることによって、練習用ドラムヘッド４を簡単に挿入し取り外すことができるようになる。同様に、エラストマー係合部材６により、連結部材１６の薄い壁の領域１６ａを外側に変形させて、キャッチ１６ｂをカウンタフープ３０の周囲３０ａ上で摺動させることによって、練習用ドラムヘッドアセンブリ２２をアコースティックドラム２２上に設置しそれから取り外し易くなる。
【００４０】
この点で、最も好ましいゴム係合部材６は、練習用ドラムヘッド４およびアコースティックドラム２２のカウンタフープ３０の周囲で引き伸ばされるゴムバンドのように働く。こうしたエラストマー材料を使用して、アコースティックドラム２２を損傷することなく、練習用ドラムアセンブリ２をアコースティックドラム２２に取り付け、それから取り外すことができる。
【００４１】
図で示し本明細書に記載した好ましい実施形態では、テンションリング８は、その一部を形成する拡張部材３８を有する環状構成に形成された円筒形ロッド４０である。拡張部材３８は、好ましくは図１および３で示したような径がテンションリング８のロッド４０の径にできるだけ近いターンバックルであり、または環状の拡張を可能にする他の拡張手段である。
【００４２】
図３で最もよく見ることができるように、好ましい拡張部材３８は、一端にテンションリング８のロッド４０のねじ付き端部４０ａを受けるためのねじ付きレセプタクル３８ａを含む。拡張部材３８の他端は、ロッド４０の平滑な端部４０ｂを受けるための平滑なレセプタクル３８ｂを含む。レセプタクルの間は、拡張部材３８にいくらかの弾力性を与えるためのばね３８ｃである。
【００４３】
練習用ドラムヘッド４が係合部材６上で保持される前または後に、好ましいテンションリング８が練習用ドラムヘッド４のメッシュ膜１０の内部に配置され、外側に向けて拡張されて、メッシュ膜１０上にテンションがもたらされる。
【００４４】
好ましいテンションリング８を設置するには、ロッド４０の平滑な端部４０ｂが平滑なレセプタクル３８ｂ内に挿入され、ロッド４０のねじ付き端部４０ａがねじ付きレセプタクル３８ａ内に完全に挿入される。次いでテンションリング８が練習用ドラムヘッド４のメッシュ膜１０内に配置され、拡張部材３８が回転されて、テンションリング８が拡張される。拡張部材３８が回転されると、ねじ付き端部４０ａがねじ付きレセプタクル３８ａと協働して、テンションロッド４０を外側に押し出し、それによってテンションリング８の径が拡張される。
【００４５】
上記のように、練習用ドラムヘッド４のメッシュ膜１０がアコースティック膜２０の周波数にできるだけ近くなるように調律しなければならない。これは、拡張部材３８の回転によってテンションリング８の径を調整することによって行なうことができる。
【００４６】
好ましい係合部材６およびテンションリング８を使用する本発明の練習用ドラムヘッドアセンブリ２は従来のドラムヘッドよりも僅かに大きいだけである。当然、練習用ドラムヘッド４のメッシュ膜１０に張力をかけるための他の適した構造を本発明の精神から逸脱することなく使用することができる。
【００４７】
上記のように、目の粗いメッシュ膜１０が練習用ドラムヘッドアセンブリ２の打撃または「演奏」用表面として使用されるため、メッシュ膜１０自体は小さいアコースティック音しか生成しない。しかし、メッシュ膜１０が（アコースティック音を生成する固体膜の）アコースティック膜２０に近接すると、メッシュ膜１０が打撃されたときにアコースティック膜２０の共鳴振動が生じる。
【００４８】
メッシュ膜１０をメッシュ膜１０が打撃された場合に２つの膜が接触しない程度にアコースティック膜２０に近い高さに実質的に固定すると、アコースティック膜２０が打撃されても、共鳴音が比較的低音量になる。判明しているように、本発明の実施では、約５〜７０％の開口面積を有するメッシュ膜１０を距離を約０．５〜４インチおいて使用することが好ましく、距離を約０．５〜３インチおくことが最も好ましい。
【００４９】
練習用ドラムヘッド４、係合部材６、およびテンションリング８のサイズを変更すれば、本発明は実質的にどのサイズのアコースティックドラムにも適合可能である。たとえば径が１８インチのアコースティックドラムは、１８インチの練習用ドラムヘッド４、１８インチの練習用ドラムヘッド４を受け１８インチのドラムのカウンタフープ３０の周囲にしっかり嵌るための１８インチよりも少し大きい係合部材６、および径が約１７．５から１８．５インチに拡張可能なテンションリングを有することができる。
【００５０】
メッシュ膜１０とアコースティック膜２０の間の距離は様々なサイズのドラムに対して同様であるが、テンションリング８のロッド４０の径は比較的大きいサイズのドラムでは比較的厚くして、適切なテンションの付加を確保することができる。しかし当業者は本発明の教示を適用する際にこうした寸法を簡単に決定することができる。
【００５１】
図４の代替の好ましい実施形態では、代替連結部材１６’を有する係合部材６’が示されている。この代替連結部材１６’は、アコースティックドラム２２（図示せず）のカウンタフープ３０上に嵌り、要素１６ａ’がカウンタフープ３０の少なくとも一部の外側に嵌るように形成され、要素１６ｂ’がカウンタフープ３０の少なくとも一部の内側に嵌るように形成される。連結部材１６’の最も好ましい実施形態では、感圧性粘着剤４２が連結部材１６’の要素１６ａ’と１６ｂ’の間に配置されて、練習用ドラムヘッドアセンブリ２’がカウンタフープ３０上でしっかり保持される。
【００５２】
本発明によって企図される他の代替形態では、練習用ドラムヘッドアセンブリ２”を、ドラムシェル２４上に取り付けられていないアコースティックドラムヘッド２６と共に使用することができる。図５で示されているように、係合部材６”は、アコースティックドラムヘッド２６の環状フレーム２８の外周に嵌る垂直壁部分１６ａ”およびアコースティックドラムヘッド２２の環状フレーム２８の下側を保持する連結部材のキャッチ１６ｂ”を有する連結部材１６”内でアコースティックドラムヘッド２６を受けるように形成される。
【００５３】
図５および６で示されているように、アコースティック膜２０が通常その上で引き伸ばされるドラムシェル２４が存在しない場合は、第２の環状テンションリング８’をアコースティックドラムヘッド２６内で使用する必要がある。係合部材６”は延長部５０の下方部分で終端して、演奏するときに練習用ドラムアセンブリ２”をその上に静置させるベースとして働く。
【００５４】
図６で示したスネアを練習するための好ましい実施形態は、メッシュ膜１０とアコースティック膜２０の間に配置されたメッシュ膜１０と関連するダンパ５２、ストレイナーテンションクリップ５６および吸音プレート５８と共に定位置に保持されるスネアストレイナー５４を備える。この実施形態は、ドラムシェル２４なしで練習することができるため、可搬性があり保管が便利である。この実施形態は、音質特性を損なわずに、メッシュ膜を使用する場合は予期されない、実質的にスネアドラムと同一の反発特性も提供する。
【００５５】
さらに、本発明は、メッシュ膜１０の底面上にダンパ５２を有して、演奏並びに練習で使用する際の反発を向上させたメッシュ膜１０を備えるドラムヘッドの使用を企図する。たとえば、ドラムヘッドに関連するアコースティック膜のないメッシュドラムヘッドを使用する電子ドラムは本発明の他の適用例である。
【００５６】
ダンパ５２の性能に影響を与える幾つかのパラメータがある。このパラメータには、密度、通気度、径、および共振周波数が含まれるが、それぞれ以下で対処される。
【００５７】
ダンパ５２は、任意の適した材料で作成することができるが、好ましくはより高い開口特性を有する質量を提供する、不織ポリ（ｎｏｎ−ｗｏｖｅｎ  ｐｏｌｙ）、ポリフィル（ｐｏｌｙ  ｆｉｌｌ）、ポリバッティング（ｐｏｌｙ  ｂａｔｔｉｎｇ）、ポリフラッフ（ｐｏｌｙ  ｆｌｕｆｆ）、または他のポリエステル繊維材料で作成される。判明しているように、好ましいダンパ５２は、密度が約０．５〜１６オンス／平方フィートであり、約１．０〜１．５オンス／平方フィートが最も好ましく、（Ｆｒａｚｉｅｒ試験またはＡＳＴＭ  Ｄ−７３７で測定したときの）通気度が約２０〜１５００ＣＦＭであり、約２５０〜１０００ＣＦＭが最も好ましい。適した材料は、バージニア州リッチモンドのＣａｒｐｅｎｔｅｒ  Ｃｏ．から入手可能でありＣＯＭＦＯＲＴ  ＬＡＳＴ  ＰＡＤの名称で販売されている。
【００５８】
図７で示したように、ダンパ５２は、メッシュ膜１０の底面に接触し、好ましくはコンタクト接着剤など接着剤によって付着されて、メッシュ膜１０に生じる反発の増加を低減する。コンタクト接着剤を使用してダンパ５２をメッシュ膜１０の底部にしっかり固定して、メッシュ膜１０と一体型にすることが最も好ましい。
【００５９】
この点で、周知のように、ドラムヘッドは共振の幾つかの異なるモードを示し、その第１および第２のものがスティックの反発に最も大きい影響を与える。全てのメッシュ膜ヘッドの場合のように、ドラムヘッドの「Ｑ」が過剰に高いと、スティックの反発がより大きくなり、より長くはね返る。
【００６０】
アコースティック膜ヘッド上には、通常、第１のはね返りがあり、１秒間で減衰する小さくなるはね返りがある。ダンパがないメッシュ膜ヘッド上では、３秒以内、通常は２秒以内の減衰が見られる。さらに、メッシュ膜のこうした反発の振幅および周波数はアコースティック膜よりも大きい。したがって、メッシュ膜ヘッドはより速い速度でスティックを戻すため、速く演奏しやすく、メッシュ膜は非現実的な感触をもたらす。
【００６１】
ダンパ５２は、開口率の高い材料を通して対応する共振周波数を送る質量を追加するものである。たとえば、１０インチのダンパなしの「メッシュ」膜ヘッドは、第１のモード３５０Ｈｚで共振し、周知のように１４インチのスネアドラムは２００〜２５０Ｈｚで共振するように調律され、適切なばね質量の式を適用して、１４インチの固体膜のアコースティックドラムと一致する比較的小さいメッシュ膜ヘッドの共振を低減するのに必要なダンパの質量を決定する。メッシュ膜ヘッドが片方の固体膜ヘッドと同一サイズの場合、より小さい質量しか必要とされない。この質量は、ダンパ５２の厚さによって調整されることが好ましい。
【００６２】
好ましい実施形態では、メッシュ膜１０の底面に接触するダンパ５２の径は、共振の第１のモードおよび第２のモードをカバーするものである。ダンパ５２は、メッシュ膜１０の底面の約４０〜１００パーセントに接触することが好ましい。判明しているように、メッシュ膜１０の６０％に接触するダンパ５２が理想であり、メッシュ膜１０の４０％未満に接触するダンパ５２は、メッシュ膜１０の底面にわたる均一の修正された反発を得る際に重要な効果を全く与えない。
【００６３】
ダンパ５２は、表面領域中のメッシュ膜１０の振動を制御する。メッシュ膜１０は、定数Ｋが縁部に向かって高くなり中心では比較的低い状態で、実際の全ばね力を示すため、膜のダンパ領域の外側が打撃されると、膜はより高いスティック反発でより高い周波数で共振する。ダンパ５２は、慣性のためにダンパ５２が取り付けられたメッシュ膜１０の領域に影響を与え、ダンパの外側の打撃された膜の屈曲および反発により、ダンパ５２が同時に反動できないようにする。
【００６４】
さらに、ダンパ５２は好ましくは円形であり、メッシュ膜１０の底面と心合わせされ、適用範囲が１００％未満の場合は、ダンパ５２の外径がメッシュ膜１０の外径の縁部に対して一様のカバーされない領域を残すようにする。
【００６５】
上記の実施形態に関して、練習用ドラムアセンブリ２”の係合部材６”はエラストマー材料で作成されることが好ましい。さらに、メッシュ膜１０とアコースティック膜２０の間の実質的に固定された距離とメッシュ膜１０の開口面積の大きさの関係、並びにメッシュ膜１０とアコースティック膜２０の同様の周波数が適用される。
【００６６】
また、理解されるように、本発明を使用して電気ドラムセットを作成することができ、センサをアセンブリに組み込んで、メッシュ膜１０が打撃される場所および方法に対応するコンピュータ生成音を発生させ、またはアセンブリ２に１つまたは複数のマイクロフォンを取り付けて、アコースティック膜２０によって生成される音を獲得することができる。
【００６７】
上記の本発明の好ましい実施形態への変形形態、修正形態、および変更形態が当業者には明らかであろう。こうした変更は全て本発明の精神および範囲に包含されるものであり、本発明は添付の特許請求の範囲にのみ制限される。
【００６８】
本発明で参照された特許は全て参照により本明細書に組み込まれる。
【図面の簡単な説明】
【００６９】
【図１】本発明の練習用ドラムヘッドアセンブリを示す分解図である。
【図２】練習用ドラムヘッドをアコースティックドラムに取り付けるための第１の係合構成を有する本発明の練習用ドラムヘッドアセンブリを示す断面図である。
【図３】本発明の練習用ドラムヘッドアセンブリのテンションリングを拡張するためのターンバックルを示す概略図である。
【図４】練習用ドラムヘッドをアコースティックドラムに取り付けるための代替係合構成を有する本発明の練習用ドラムヘッドアセンブリを示す断面図である。
【図５】標準のアコースティックドラムが不要の、練習用ドラムヘッドをアコースティックドラムヘッドに直接取り付けるための係合構成を有する本発明の練習用ドラムヘッドアセンブリの代替実施形態を示す断面図である。
【図６】スネアとして使用するように構成された図５で示した練習用ドラムヘッドアセンブリを示す部分分解部分断面図である。
【図７】底部にダンパを有する本発明の練習用ドラムヘッドの好ましい実施形態のメッシュ膜の底部を示す斜視図である。
【図１】
2009524115.tif 000003
【図２】
2009524115.tif 000004
【図３】
2009524115.tif 000005
【図４】
2009524115.tif 000006
【図５】
2009524115.tif 000007
【図６】
2009524115.tif 000008
【図７】
2009524115.tif 000009
【国際調査報告】
2009524115.tif 000010
2009524115.tif 000011